(57)【要約】【課題】使用中の商品陳列具をコンパクトにする。【解決手段】列状に商品Ｍを陳列するための複数の商品取付け部２を備えた台紙１を、商品Ｍが除去された任意の使用済みの商品取付け部２Ａを覆い隠す状態で、かつ、商品Ｍが陳列されている使用中の商品取付け部２Ｂが前面側となる状態で少なくともＮ状に折り畳み自在な可撓性材料から製作するとともに、折り畳まれた台紙部分を折り畳み姿勢に保持する姿勢保持手段３が設けられている。【選択図】        図４
2004267541.tif 000002
【特許請求の範囲】
【請求項１】
列状に商品を陳列するための複数の商品取付け部を備えた台紙を、商品が除去された任意の使用済みの商品取付け部を覆い隠す状態で、かつ、商品が陳列されている使用中の商品取付け部が前面側となる状態で少なくともＮ状に折り畳み自在な可撓性材料から製作するとともに、
折り畳まれた台紙部分を折り畳み姿勢に保持する姿勢保持手段が設けられている商品陳列具。
【請求項２】
前記台紙の各商品取付け部には、商品を陳列掛止するための掛止手段が設けられているとともに、
各掛止手段を、Ｎ状に折り畳まれる使用済み商品取付け部側の対向面間に亘って掛止可能に構成して、各掛止手段を前記姿勢保持手段に兼用してある請求項１記載の商品陳列具。
【請求項３】
前記掛止手段が、台紙の商品取付け部に形成された取付け孔に対して脱着自在に差し込み保持される取付け片と、商品を脱着自在に掛止保持可能な上向き姿勢の掛止片とを備えた弾性変形自在の掛止体から構成されているとともに、
台紙には、これの取付け孔に差し込み保持された掛止体の掛止片が入り込み可能で、かつ、掛止体の下半側の弾性彎曲操作に伴う掛止片の掛止姿勢から下向きの商品放出姿勢への姿勢変更を許容する貫通孔が形成され、
更に、使用済み商品取付け部を覆い隠す状態でＮ状に折り畳まれたとき、両折り畳み線間の商品取付け部に差し込み保持されている掛止体の掛止片を、それに相対向する使用済み商品取付け部側の貫通孔に掛止自在に構成されている請求項２記載の商品陳列具。
【請求項４】
前記商品取付け部に、複数の商品が台紙長手方向に沿って、台紙長手方向の一端側が隣接する先行取付け商品の前面側に重なる形態で取付けられている請求項１〜３のいずれか１項に記載の商品陳列具。
【請求項５】
前記台紙に、使用済み商品取付け部を覆い隠す状態でＮ状に折り畳むための折り位置を案内する折り畳み案内線が形成されている請求項１〜４のいずれか１項に記載の商品陳列具。
【請求項６】
前記台紙が、複数の商品取付け部を備えた商品陳列域と、台紙を陳列用被吊支部に掛止するための吊支具を挿通させる挿通孔を備えた商品陳列域以外の商品非陳列域とから構成され、
前記商品陳列域と商品非陳列域との境界部分、又は、商品陳列域と商品非陳列域との境界部分及び商品非陳列域の少なくとも一部分に、台紙格納用折り畳み線が形成されている請求項１〜５のいずれか１項に記載の商品陳列具。
【請求項７】
可撓性材料製の台紙に列状に形成された複数の商品取付け部の各々に、取り外し可能な状態で商品を取付けて陳列し、一部の商品が台紙から取り外されたとき、その商品が除去された使用済みの商品取付け部を覆い隠す状態で、かつ、商品が陳列されている使用中の商品取付け部が前面側となる状態で台紙を少なくともＮ状に折り畳んだ後、その折り畳まれた台紙部分を姿勢保持手段で折り畳み姿勢に保持することを特徴とする商品陳列具の商品陳列整理方法。
【発明の詳細な説明】
【０００１】
【発明の属する技術分野】
本発明は、商品を陳列するための商品陳列具、及び、その商品陳列具の商品陳列整理方法に関する。
【０００２】
【従来の技術】
従来の商品陳列具は、折り畳み案内線に沿って折り畳み自在な台紙に、商品を台紙長手方向に沿って複数の列状に貼着してあり、搬送時に、台紙を折り畳むことにより商品陳列具をコンパクトにすることができる構成であった（例えば、特許文献１参照。）。
【０００３】
【特許文献１】
実開昭５４−８８２９４公報
【０００４】
【発明が解決しようとする課題】
しかし、従来の商品陳列具では、搬送時に台紙を折り畳み案内線に沿ってコンパクトに折り畳むものの、商品陳列時には、商品の販売が完了するまで台紙を一直線状に展伸させた姿勢で吊下げているため、販売によって商品の除去が進むと、台紙に商品が陳列されていない部分である使用済みの商品取付け部が大きくなり、商品陳列における美観を損ねるとともに、その使用済み商品取付け部が余剰スペースとなり、不必要に場所を取る問題があった。
【０００５】
この実情に鑑み、本発明の主たる課題は、合理的な改良を以って、上記の問題を効果的に解消する点にある。
【０００６】
【課題を解決するための手段】
〔１〕請求項１に係る発明は商品陳列具に係り、その特徴は、
列状に商品を陳列するための複数の商品取付け部を備えた台紙を、商品が除去された任意の使用済みの商品取付け部を覆い隠す状態で、かつ、商品が陳列されている使用中の商品取付け部が前面側となる状態で少なくともＮ状に折り畳み自在な可撓性材料から製作するとともに、
折り畳まれた台紙部分を折り畳み姿勢に保持する姿勢保持手段が設けられている点にある。
【０００７】
この構成によれば、商品が除去された後の余剰スペースである使用済み商品取付け部を、使用中商品取付け部が前面側となるように覆い隠す形態で折り畳み、姿勢保持手段によってその台紙の折り畳み姿勢を保持することができるので、使用済み商品取付け部を折り畳んでその余剰スペースを覆い隠しながら、商品陳列状態にある商品陳列具をコンパクトにすることができ、よって、商品陳列における美観を向上させることもできる。
【０００８】
〔２〕請求項２に係る発明は、請求項１に係る発明の実施に好適な実施形態を特定するものであり、その特徴は、
前記台紙の各商品取付け部には、商品を陳列掛止するための掛止手段が設けられているとともに、
各掛止手段を、Ｎ状に折り畳まれる使用済み商品取付け部側の対向面間に亘って掛止可能に構成して、各掛止手段を前記姿勢保持手段に兼用してある点にある。
【０００９】
つまり、この構成によれば、商品を陳列掛止するために台紙の商品取付け部に設けられた掛止手段が、台紙の折り畳み姿勢を保持する姿勢保持手段に兼用してあるので、別途姿勢保持手段を設ける必要がなく、従って、製造コストを低廉化することができる。
【００１０】
〔３〕請求項３に係る発明は、請求項２に係る発明の実施に好適な実施形態を特定するものであり、その特徴は、
前記掛止手段が、台紙の商品取付け部に形成された取付け孔に対して脱着自在に差し込み保持される取付け片と、商品を脱着自在に掛止保持可能な上向き姿勢の掛止片とを備えた弾性変形自在の掛止体から構成されているとともに、
台紙には、これの取付け孔に差し込み保持された掛止体の掛止片が入り込み可能で、かつ、掛止体の下半側の弾性彎曲操作に伴う掛止片の掛止姿勢から下向きの商品放出姿勢への姿勢変更を許容する貫通孔が形成され、
更に、使用済み商品取付け部を覆い隠す状態でＮ状に折り畳まれたとき、両折り畳み線間の商品取付け部に差し込み保持されている掛止体の掛止片を、それに相対向する使用済み商品取付け部側の貫通孔に掛止自在に構成されている点にある。
【００１１】
つまり、この構成によれば、商品を掛止していた使用済み商品取付け部の取付け孔に取付けられた掛止体が有する弾性変形自在の掛止片と、掛止片に掛止してある商品を掛止片から放出させるための貫通孔とを利用し、使用済み商品取付け部を覆い隠す状態でＮ状に折り畳まれたとき、両折り畳み線間の商品取付け部に差し込み保持されている掛止体の掛止片を、それに相対向する使用済み商品取付け部側の貫通孔に掛止するようにしてあるので、容易に台紙の折り畳み状態を保持することができるとともに、別途掛止体及び貫通孔を設ける必要もなく、製造コストを低廉化することができる。
【００１２】
〔４〕請求項４に係る発明は、請求項１〜３のいずれか１項に係る発明の実施に好適な実施形態を特定するものであり、その特徴は、
前記商品取付け部に、複数の商品が台紙長手方向に沿って、台紙長手方向の一端側が隣接する先行取付け商品の前面側に重なる形態で取付けられている点にある。
【００１３】
つまり、この構成によれば、常に一端側の商品が前面にくる形態に取付けられていて、購買者に商品を台紙長手方向一端側の商品取付け部から順番に取り外させることができるので、商品が取り付いている使用中商品取付け部と商品が除去された使用済み商品取付け部とを区分した状態で現出させることができ、よって、商品の取付け位置を移動させたりすることなく、容易に使用済み商品取付け部を覆い隠すように台紙をＮ状に折り畳むことができる。
【００１４】
〔５〕請求項５に係る発明は、請求項１〜４のいずれか１項に係る発明の実施に好適な実施形態を特定するものであり、その特徴は、
前記台紙に、使用済み商品取付け部を覆い隠す状態でＮ状に折り畳むための折り位置を案内する折り畳み案内線が形成されている点にある。
【００１５】
つまり、この構成によれば、使用済みの商品取付け部を覆い隠す状態で台紙をＮ状に折り畳む際、台紙を折り畳み案内線に沿って体裁よく正確に折り畳むことができる。
特に、請求項３の構成によれば、台紙をＮ状に折り畳んだ状態で、掛止体と貫通孔とが適切な掛止位置にくるように折り畳み案内線が形成されているので、その折り畳み案内線に沿って折り畳むだけで、正確に掛止体が貫通孔に対して掛止可能な位置に位置し、よって、折り畳み作業の容易化と共に台紙の折り畳み状態を確実に保持することができる。
【００１６】
〔６〕請求項６に係る発明は、請求項１〜５のいずれか１項に係る発明の実施に好適な実施形態を特定するものであり、その特徴は、
前記台紙が、複数の商品取付け部を備えた商品陳列域と、台紙を陳列用被吊支部に掛止するための吊支具を挿通させる挿通孔を備えた商品陳列域以外の商品非陳列域とから構成され、
前記商品陳列域と商品非陳列域との境界部分、又は、商品陳列域と商品非陳列域との境界部分及び商品非陳列域の少なくとも一部分に、台紙格納用折り畳み線が形成されている点にある。
【００１７】
つまり、この構成によれば、商品陳列域と商品非陳列域との境界部分、又は、商品陳列域と商品非陳列域との境界部分及び商品非陳列域の少なくとも一部分に、台紙格納用折り畳み線が形成されているので、商品陳列域の全商品取付け部から全商品が除去された台紙を、台紙格納用折り畳み線、及び、使用済みの商品取付け部を覆い隠す状態で、使用中の商品取付け部が前面側となるように台紙をＮ状に折り畳むことにより現出される折り畳み線に沿って折り畳むことで、全ての商品除去が完了した台紙をより一層コンパクトにすることができて、廃棄処理前の保管に大きく場所をとることがない。
【００１８】
〔７〕請求項７に係る発明は商品陳列具の商品陳列整理方法に係り、その特徴は、
可撓性材料製の台紙に列状に形成された複数の取付け部の各々に、取り外し可能な状態で商品を取付けて陳列し、一部の商品が台紙から取り外されたとき、その商品が除去された使用済み取付け部を覆い隠す状態で、かつ、商品が陳列されている使用中取付け部が前面側となる状態で台紙を少なくともＮ状に折り畳んだ後、その折り畳まれた台紙部分を姿勢保持手段で折り畳み姿勢に保持することにある。
【００１９】
つまり、この方法によれば、台紙の使用済みの商品取付け部を少なくともＮ状に折り畳むことで、商品が除去されてできた余剰スペースを覆い隠しながら、折り畳まれた台紙部分を姿勢保持手段で折り畳み姿勢に保持するので、商品陳列状態にある商品陳列具をコンパクトにすることができるとともに、商品陳列における美観も向上させることができる。
【００２０】
【発明の実施の形態】
図１〜図７は、本発明の実施形態における商品陳列具Ｄを示し、１は多数の商品Ｍを陳列するための商品取付け部２を備えた厚紙製の台紙、１Ａは台紙１における商品陳列域、１Ｂは台紙１における商品非陳列域を示し、商品取付け部２は、商品陳列域１Ａの台紙長手方向に沿った２列状に設けられている。
【００２１】
各商品取付け部２には、商品Ｍを掛止陳列するための掛止手段として、商品取付け部２に形成されている左右一対の取付け孔である縦方向のスリット２ａに対して脱着自在に差し込み保持される左右一対の取付け片３ａと、商品Ｍに形成された吊下げ孔に対して脱着自在に掛止保持可能な上向き姿勢の掛止片３ｂとを備えた弾性変形自在な合成樹脂製の掛止体３が取付けられているとともに、各商品取付け部２には、これの両スリット２ａに、取付け片３ａが差し込み保持されている掛止体３の掛止片３ｂが傾斜姿勢に弾性変形しながら入り込み可能で、かつ、差し込み保持されている掛止体３の下半側となる掛止片基部３ｃを手前にほぼＵの字状に弾性変形させたとき、その弾性彎曲操作に伴う掛止片３ｂの掛止姿勢から下向きの商品放出姿勢への姿勢変更を許容する上下方向に沿う長円形状の貫通孔２ｂが左右のスリット２ａ間の中央下方寄りの位置に形成されている。
【００２２】
そして、掛止体３に掛止されて陳列している商品Ｍを取り外すには、掛止体３の掛止片基部３ｃを手前に引き上げることで、上向き姿勢にある掛止片３ｂが反転しながら貫通孔２ｂから抜け出し、掛止片３ｂに掛止保持されていた商品Ｍが商品放出姿勢に反転された掛止片３ｂに沿って脱落放出されるようになっている。
【００２３】
台紙１には、販売によって商品Ｍが除去された任意の使用済みの商品取付け部２Ａを覆い隠す状態で、かつ、商品Ｍが陳列されている使用中の商品取付け部２Ｂが前面側となる状態で、台紙１がＮ状に折り畳まれたときの上下の両折り畳み線ｖ１、ｖ２間にある使用済み商品取付け部２Ａのうち、最上側に位置する使用済み商品取付け部２Ａのスリット２ａに差し込み保持されている掛止体３の掛止片３ｂとそれに相対向する使用済み商品取付け部２Ａの貫通孔２ｂとが掛止自在となる適切な折り位置を案内する折り畳み案内線であるミシン目４が、各商品取り付け部２の貫通孔２ｂの位置に形成されている。
【００２４】
そして、台紙１の長手方向一端側の商品非陳列域１Ｂには、台紙１を陳列用被吊支部に吊下げるための吊支具である吊紐５を挿通させる挿通孔１ａが２箇所設けられているとともに、商品取付け部２を備えた商品陳列域１Ａと商品非陳列域１Ｂとの境界部分と、商品非陳列域１Ｂにおける台紙長手方向中央位置とに、台紙格納用折り畳み線であるミシン目６が、折り畳み案内線であるミシン目４と同一間隔で形成されていて、それらミシン目６に沿って商品Ｍを完売した台紙１を折り畳むことで、使用済みで廃棄処理される台紙１をより一層コンパクトにすることができる。
【００２５】
図１は、台紙１が、吊紐５により陳列用被吊支部に吊下げられ、商品取付け部２の全ての掛止体３に商品Ｍが掛止陳列されている状態を示し、それら多数の商品Ｍは、それの下側部分が下方に隣接位置する先行取付け商品Ｍの上側部部分の前面側に重なる形態で掛止陳列されている。
つまり、購買者は、台紙１の上方側に取付けられた前面側に出ている商品Ｍから順次、使用中商品取付け部２Ｂの掛止体３より取り外していくようになっている。
【００２６】
そして、図２に示すように、台紙１の上方側に位置する商品取付け部２からある程度の商品Ｍが除去されると、商品Ｍが除去されたその使用済み商品取付け部２Ａのスリット２ａに対し差し込んだ掛止体３のうち最下方に位置し、Ｎ状に折り畳まれたときには上側折り畳み線ｖ１側に位置する使用済み商品取付け部２Ａの掛止体３を残して、その他の掛止体３を台紙１から取り外し、図４及び図５に示すように、余剰スペースである使用済み商品取付け部２Ａを覆い隠す状態で、ミシン目４に沿って台紙１をＮ状に折り畳む。
【００２７】
そして、ミシン目４に沿って台紙１をＮ状に折り畳むことで、図４、図５及び図７に示すように、残しておいた最下方に位置する使用済み商品取付け部２Ａの掛止体３の姿勢が、上下が逆転した形態（すなわち、掛止体３の掛止片３ｂが下向き姿勢になっている形態）でその使用済み商品取付け部２Ａに取付けられている状態になり、その掛止体３の下向き姿勢になっている掛止片３ｂを、掛止体３を取り外した使用済み商品取付け部２Ａに形成されている貫通孔２ｂに差し込み掛止させて、台紙１をＮ状に折り畳んだ折り畳み姿勢を保持する。
【００２８】
すなわち、商品Ｍを掛止陳列するための掛止手段である掛止体３を、台紙１を、商品Ｍが除去された使用済み商品取付け部２Ａを覆い隠す状態で、かつ、商品Ｍが陳列されている使用中商品取付け部２Ｂが前面側となる状態で、Ｎ状に折り畳んだ姿勢に保持する姿勢保持手段として兼用している。
【００２９】
このように、使用済み商品取付け部２Ａを覆い隠すように台紙１をＮ状に折り畳むことで、掛止陳列されていた商品Ｍが除去されることで現出する余剰スペース（すなわち、使用済み商品取付け部２Ａ）を効果的に排除し、図３に示すように、台紙１をコンパクトにすることができて、商品陳列における美観を良好なものにすることができる。
【００３０】
また、吊下げられている台紙１の上下方向下方の商品取付け部２に掛止されている商品Ｍが、台紙１をＮ状に折り畳むことにより上昇するので、例えば、商品Ｍが全く除去されていない状態にある商品陳列具Ｄにおいて、台紙１の下端位置が低所にある場合、台紙１の上方部分の商品取付け部２から商品Ｍが除去された後、除去された使用済み商品取付け部２Ａを覆い隠すように折り畳み、台紙１の下方部分の使用中商品取付け部２Ｂに掛止されている商品Ｍを上昇させることができ、購買者が容易に商品Ｍを手にすることができる。
【００３１】
そして、商品取付け部２に取付けられていた商品Ｍが完売された使用済みの台紙１は、図６に示すように、台紙格納用折り畳み線であるミシン目６と、折り畳み案内線であるミシン目４とに沿って折り畳まれて、廃棄処理前の使用済みの台紙１をコンパクトにして、保管することができる。
【００３２】
〔別の実施形態〕
次に別実施形態を列記する。
【００３３】
上述の実施形態では、商品Ｍを陳列するための台紙１を厚紙で製作したが、台紙１は厚紙製に限るものではなく、可撓性材料から製作されたものであれば、その他の材料で製作したものであってもよい。
【００３４】
本発明における商品Ｍを掛止陳列するための掛止手段としては、上述の実施形態において採用した掛止体３に限るものではなく、接着剤など種々の掛止手段を採用してもよい。
【００３５】
その場合、台紙１の折り畳み姿勢を保持する姿勢保持手段を掛止手段とは別に設ける構成にしてもよい。
【００３６】
また、台紙１の折り畳み姿勢を保持する掛止体３の掛止片は、台紙１の折り畳み姿勢を保持するための専用掛止片を設けたものであってもよく、商品Ｍを陳列掛止するための掛止片３ｂに限られるものではない。
【００３７】
更に、台紙１の商品取り付け部２を折り畳むのに、複数段に亘ってＮ状に折り畳む構成にしてもよい。
【００３８】
上述の実施形態における台紙１に設けられた商品取付け部２の構成は、上述の実施形態における台紙長手方向に沿う２列状の構成に限らず、種々の構成を採用できる。
【００３９】
上述の実施形態では、台紙１をＮ状に折り畳むのに、その適切な折り位置を案内する折り畳み案内線、及び、台紙格納用折り畳み線としてミシン目４，６を形成することを採用したが、折り畳み案内線及び台紙格納用折り畳み線はミシン目４，６に限るものではなく、筋押し加工した折り罫を加工形成するなどその他種々の方法を採用してもよい。
【００４０】
また、上述の実施形態では、台紙格納用折り畳み線であるミシン目６が、商品取付け部２を備えた商品陳列域１Ａと商品非陳列域１Ｂとの境界部分と、商品非陳列域１Ｂにおける台紙長手方向中央位置とに、商品折り畳み案内線であるミシン目４と同一間隔で形成されていたが、台紙格納用折り畳み線であるミシン目６は、商品取付け部２を備えた商品陳列域１Ａと商品非陳列域１Ｂとの境界部分のみに形成されてあってもよく、また、複数の台紙格納用折り畳み線であるミシン目６が形成されてある場合、それらミシン目６の間隔は商品折り畳み案内線であるミシン目４と同一間隔でなくてもよい。
【図面の簡単な説明】
【図１】本発明の実施形態をおける商品が全商品取付け部に掛止陳列されている状態を示す正面図
【図２】一部の商品が商品取付け部から除去された状態を示す正面図
【図３】台紙をＮ状に折り畳んだ状態を示す正面図
【図４】台紙をＮ状に折り畳んだ状態を示す分解斜視図
【図５】台紙をＮ状に折り畳んだ状態を示す斜視図
【図６】使用済みの台紙を折り畳んだ状態を示す斜視図
【図７】台紙をＮ状に折り畳んだ状態における台紙及び商品取付け部の断面図
【符号の説明】
１    台紙
１Ａ      商品陳列域
１Ｂ    商品非陳列域
２    商品取付け部
２Ａ    使用済み商品取付け部
２Ｂ    使用中商品取付け部
２ａ    取付け孔
２ｂ    貫通孔
３    姿勢保持手段、掛止手段（掛止体）
３ａ    取付け片
３ｂ    掛止片
４    折り畳み案内線
６    台紙格納用折り畳み線
Ｍ    商品
ｖ１    折り畳み線
ｖ２    折り畳み線
【図１】
2004267541.tif 000003
【図２】
2004267541.tif 000004
【図３】
2004267541.tif 000005
【図４】
2004267541.tif 000006
【図５】
2004267541.tif 000007
【図６】
2004267541.tif 000008
【図７】
2004267541.tif 000009